(57)【要約】【課題】複数の給紙カセットを有し、かつ、テンキーを持たない小型の画像形成装置において、特定の給紙カセットにセットされた特殊で高価な用紙を誤って使用するのを防止する。【解決手段】操作パネルには当該装置の状態を表示する複数の表示ランプと印刷動作を指示する複数の入力キーとを有しており、それら入力キーの操作により、複数の給紙カセット内の選択された一つから給紙して印刷する。そのような画像形成装置において、キー操作記憶部６に予め登録したキー操作手順を格納しておき、印刷に使用する用紙の給紙カセットとして上記特定の給紙カセットが選択されたとき、ユーザにより前記入力キーが操作されたキー操作手順と前記キー操作記憶部６に格納されたキー操作手順とが一致しているかをキー操作認証部５で判断する。そして、両キー操作手順が一致した場合だけ、上記選択された特定の給紙カセットからの給紙を許可する。【選択図】図１
2007136798.tif 000002
【特許請求の範囲】
【請求項１】
当該装置の状態を表示する複数の表示ランプと印刷動作を指示する複数の入力キーとを有する操作パネルと、少なくとも１つの特定の給紙カセットと、その他の給紙カセットとを有し、それら給紙カセットのうちの選択された１つから給紙して印刷する画像形成装置において、
予め登録したキー操作手順を格納したキー操作記憶部と、前記複数の給紙カセットのうち上記特定の給紙カセットが選択されたときに、前記表示ランプの点滅を制御して認証のためのキー操作入力を指示する表示部と、ユーザにより前記入力キーが操作されたキー操作手順と前記キー操作記憶部に格納されたキー操作手順とが一致しているかを判断するキー操作認証部と、該キー操作認証部が両キー操作手順の一致を認証した場合は、上記選択された特定の給紙カセットからの給紙を許可する給紙許可部と、を備えたことを特徴とする画像形成装置。
【請求項２】
当該装置の状態を表示する複数の表示ランプと印刷動作を指示する複数の入力キーとを有する操作パネルと、複数の特定の給紙カセットと、その他の給紙カセットとを有し、それら給紙カセットのうちの選択された１つから給紙して印刷する画像形成装置において、
予め登録したキー操作手順を格納したキー操作記憶部と、前記複数の給紙カセットのうち上記特定の給紙カセットが選択されたときに、前記表示ランプの点滅を制御して認証のためのキー操作入力を指示する表示部と、ユーザにより前記入力キーが操作されたキー操作手順と前記キー操作記憶部に格納されたキー操作手順とが一致しているかを判断するキー操作認証部と、該キー操作認証部が両キー操作手順の一致を認証した場合は、上記複数の特定の給紙カセットの選択を許可し、選択された給紙カセットからの給紙を行う給紙許可部と、を備えたことを特徴とする画像形成装置。
【発明の詳細な説明】
【技術分野】
【０００１】
本発明は、カラー専用用紙、契約書や有価証券の台紙、コピー禁止の表記をプレプリントした台紙など、通常の印刷では使用しない高価な特殊用紙用の給紙カセットを有する画像形成装置に関するものであり、特に、ユーザが特殊用紙用の給紙カセットであることを知らずに給紙カセットを指定して印刷してしまう無駄を省くことができるようにした画像形成装置に関するものである。
【背景技術】
【０００２】
従来の画像形成装置は、複数の給紙カセットを有しており、様々な種類やサイズの用紙をセットすることができる。例えばカラーコピー機では、カラーだけではなくモノクロ印刷もできるので、普通の用紙とカラー専用用紙とがセットされている。また、給紙カセットに契約用の台紙や有価証券の台紙、コピー禁止用紙など、予め地紋等が印刷された高価な用紙をセットして使用されている場合もある。
【０００３】
最近では、このような画像形成装置はネットワーク上に設置され、多くのユーザがパーソナルコンピュータから画像形成装置に印刷ジョブを送信して印刷することができるように構成されている場合が多い。そのような画像形成装置では、ユーザが給紙カセットにどのような用紙がセットされているかを把握していない場合も多く、モノクロ印刷を、カラー専用用紙を使って行うと高価なカラー専用用紙を無駄に使ってしまうことになる。
【０００４】
また、契約用の台紙や有価証券の台紙、コピー禁止用紙などがセットされている給紙カセットを指定して普通の印刷を行うと、高価な用紙を無駄に使ってしまうだけでなく、印刷されたもの自体が使用できずに全く無駄になってしまうことになる。このような問題はネットワークに接続されない画像形成装置においても基本的に同様であり、ユーザが給紙カセットにセットされた用紙種類を確認しないまま印刷を行った場合には同様の無駄が発生してしまう。
【０００５】
そこで、従来、そのような無駄の発生しない画像形成装置として、特許文献１（特開２００４−２１０４９号公報）に開示されるような画像形成装置が知られている。この画像形成装置においては、印刷時に、特殊な用紙が収納された特定の給紙カセットが選択された場合、キー操作入力画面を表示し、その後ユーザにより所定のパスワードが入力されたときのみ、選択された特定の給紙カセットからの給紙を許可するようにして、特殊で高価な用紙を誤って使用してしまうのを防止するようにしている。
【０００６】
【特許文献１】特開２００４−２１０４９号公報（図１、段落［０００５］、［００３２］、［００３８］）
【発明の開示】
【発明が解決しようとする課題】
【０００７】
しかしながら、上記特許文献１に開示された画像形成装置には、パスワードを入力するため操作パネルにテンキーが必須となり、操作パネルにテンキーを持たない小型の画像形成装置には適用できないという問題点があった。
【０００８】
本発明は、そのような問題点に鑑み、少なくとも１つの特定の給紙カセットと、その他の給紙カセットとを有するが、操作パネルには、装置の状態を表示する複数の表示ランプと印刷動作を指示する複数の入力キーのみを持ち、テンキーを持たない小型の画像形成装置においても、特殊で高価な用紙を誤って使用してしまうような無駄が発生しないようにすることを目的とするものである。
【課題を解決するための手段】
【０００９】
前記課題を解決するために、本願の請求項１にかかる画像形成装置の発明は、
当該装置の状態を表示する複数の表示ランプと印刷動作を指示する複数の入力キーとを有する操作パネルと、少なくとも１つの特定の給紙カセットと、その他の給紙カセットとを有し、それら給紙カセットのうちの選択された１つから給紙して印刷する画像形成装置において、予め登録したキー操作手順を格納したキー操作記憶部と、前記複数の給紙カセットのうち上記特定の給紙カセットが選択されたときに、前記表示ランプの点滅を制御して認証のためのキー操作入力を指示する表示部と、ユーザにより前記入力キーを操作されたキー操作手順と前記キー操作記憶部に格納されたキー操作手順とが一致しているかを判断するキー操作認証部と、該キー操作認証部が両キー操作手順の一致を認証した場合は、上記選択された特定の給紙カセットからの給紙を許可する給紙許可部と、を備えたことを特徴とする。
【００１０】
また、本願の請求項２にかかる画像形成装置の発明は、
当該装置の状態を表示する複数の表示ランプと印刷動作を指示する複数の入力キーとを有する操作パネルと、複数の特定の給紙カセットと、その他の給紙カセットとを有し、それら給紙カセットのうちの選択された１つから給紙して印刷する画像形成装置において、予め登録したキー操作手順を格納したキー操作記憶部と、前記複数の給紙カセットのうち上記特定の給紙カセットが選択されたときに、前記表示ランプの点滅を制御して認証のためのキー操作入力を指示する表示部と、ユーザにより前記入力キーが操作されたキー操作手順と前記キー操作記憶部に格納されたキー操作手順とが一致しているかを判断するキー操作認証部と、該キー操作認証部が両キー操作手順の一致を認証した場合は、上記複数の特定の給紙カセットの選択を許可し、選択された給紙カセットからの給紙を行う給紙許可部と、を備えたことを特徴とする。
【発明の効果】
【００１１】
本発明の画像形成装置は、次のような効果を奏する。
すなわち、本願の請求項１にかかる発明においては、特定の給紙カセットが選択されたときに、表示ランプの点滅を制御して認証のためのキー操作入力を指示し、ユーザにより入力キーが操作されたキー操作手順とキー操作記憶部に格納されたキー操作手順とが一致した場合だけ、上記選択された特定の給紙カセットからの給紙を許可するようにしたので、テンキーを持たない小型の画像形成装置においても、特殊で高価な用紙を誤って使用してしまうような無駄が発生するのを防止できるようになる。
【００１２】
また、本願の請求項２にかかる発明においては、ユーザにより入力キーが操作されたキー操作手順とキー操作記憶部に格納されたキー操作手順とが一致した場合だけ、複数の特定の給紙カセットの選択を許可し、選択された給紙カセットからの給紙を行うようにしたので、テンキーを持たない小型の画像形成装置においても、特殊で高価な用紙を誤って使用してしまうような無駄が発生するのを防止できるようになる。
【発明を実施するための最良の形態】
【００１３】
以下、本発明の具体例を実施例及び図面を用いて詳細に説明する。但し、以下に示す実施例は、本発明の技術思想を具体化するための画像形成装置を例示するものであって、本発明をこの画像形成装置に特定することを意図するものではなく、特許請求の範囲に含まれるその他の実施形態の画像形成装置にも等しく適用し得るものである。
【実施例１】
【００１４】
本発明の実施例１にかかる画像形成装置１は、図１に示すように、プリンタ、コピー、ファクシミリの機能を有する複合機であり、ＣＰＵ２、ＲＯＭ３、ＲＡＭ４、キー操作認証部５、キー操作記憶部６、プリンタコントローラ７、給紙制御部８、給紙カセット９〜１２、プリンタ部１３、後処理装置インターフェース１４、後処理装置１５、操作表示部１６、原稿読取装置インターフェース１７、原稿読取装置１８、画像処理部１９、ビットマップメモリ２０、ＣＯＤＥＣ２１、画像メモリ２２、受信情報記憶バッファ２３、中間言語情報記憶バッファ２４、ネットワーク・インターフェース２５、モデム２９、ネットワーク・コントロール・ユニット（ＮＣＵ）３０等を備えて構成されている。
【００１５】
この画像形成装置１は、ネットワーク・インターフェース２５を介してパソコン２６、２７、２８、・・・やその他の機器と接続され、また、モデム２９、ネットワーク・コントロール・ユニット３０を介して公衆回線と接続されている。
【００１６】
詳しくは、ＣＰＵ２は当該画像形成装置１の各構成を制御しており、各種プログラムを記憶したＲＯＭ３、ユーザーチョイスデータ、設定情報、トータルカウントデータ、各種フォントデータなどを記憶したＲＡＭ４に接続されている。本願では特定の給紙カセットを予めどの給紙カセットに設定するかを決める必要があるが、この情報はＲＡＭ４に記憶される。
【００１７】
また、初期設定で選択されている給紙カセットは、必然的にこの特定の給紙カセットは避けるようにプログラムする方がよい。さらに、用紙サイズの自動選択や、用紙が無くなったときの別の給紙カセットの自動選択でもこの特定の給紙カセットは選択できないようにプログラムする必要がある。
【００１８】
キー操作認証部５、キー操作記憶部６は、本発明の特徴部分であり、キー操作認証部５は操作表示部１６のキー操作入力画面から入力されたキー操作と、キー操作記憶部６に登録されているキー操作手順の１つと一致するかを判断する。
【００１９】
プリンタコントローラ７は、パソコン２６〜２８のいずれかから送信され、受信情報記憶バッファ２３に格納されたプリントコマンドやジョブ情報を解析し、中間言語情報を生成するものである。この中間言語情報は中間言語情報記憶バッファ２４に格納される。
【００２０】
給紙制御部８は、選択された給紙カセット９〜１２の給紙機構を制御して、給紙カセット９〜１２から用紙を１枚ずつ取り出し、プリンタ部１３へ搬送する。給紙カセット９〜１２には、互いに異なる用紙がセットされ、その内、特定の給紙カセットには、カラー専用用紙、契約書や有価証券の台紙、コピー禁止用の台紙等の特殊な用紙がセットされる。
【００２１】
プリンタ部１３は、ビットマップメモリ２０に展開されている画像データを受け取ってトナー像を形成し、これを給紙カセット９〜１２内より選択された給紙カセットから順次給紙、搬送される用紙に転写し、定着、排紙される。給紙カセット９〜１２は複数用意されており、そのうちの１つあるいは複数を、特殊用紙をセットする特定の給紙カセットとして予め指定しておくことが必要である。用紙のセット作業にも制限をする場合は、給紙カセットの抜き差しにも、電気的または機械的なロックを設けるとよい。
【００２２】
後処理装置１５は、後処理装置インターフェース１４により画像形成装置１本体と接続されており、画像形成装置１から印刷されて排出される印刷物に、ステイプル、パンチなどの後処理、ソート、グループ分け等の仕分けを行う。
【００２３】
操作表示部１６は、例えば、図２に示すような操作パネルを有している。図２において、３１は実行キー、３２はキャンセルキー、３３〜３６はトナーインジケータ、３７は注意インジケータ、３８はデータインジケータ、３９はオンラインインジケータである。３３〜３９の各インジケータは、ＬＥＤランプにより構成されている。
【００２４】
実行キー３１は、画像形成装置のオンラインとオフラインの切り換えを行い、キャンセルキー３２は、実行中の処理を中止させるためのキーである。トナーインジケータ３３〜３６は、トナーの残量不足を色別に表示し、注意インジケータ３７は、本体のカバーの閉め忘れや紙詰まりの警告を行い、データインジケータ３８は、データ受信中あるいは処理中であることの表示を行い、オンラインインジケータ３９は、画像形成装置がオンライン状態にあるか否かの表示を行う。
【００２５】
この画像形成装置では、実行キー３１、キャンセルキー３２の操作により、給紙カセット９〜１２の選択もできる。例えば、実行キー３１を一定時間（例えば、５秒）以上押し続けると、給紙カセット切換モードに入り、その状態でキャンセルキー３２を押すと、順次給紙カセットが切り替わる。そして、現在どの給紙カセットが選択されているかは、トナーインジケータ３３〜３６を使って表示される。例えば、Ｋトナーインジケータ３３の点灯で第１給紙カセット９に切り替えられたことを示し、Ｃトナーインジケータ３４の点灯で第２給紙カセット１０に切り替えられたことを示し、Ｍトナーインジケータ３５の点灯で第３給紙カセット１１に切り替えられたことを示し、Ｙトナーインジケータ３６の点灯で第４給紙カセット１２に切り替えられたことを示す。
【００２６】
また、この画像形成装置１は複合機であるので、コピー機能，プリンタ機能，ファクシミリ機能，スキャナ機能と複数の機能を有しているが、それらの機能の切り替えも、実行キー３１，キャンセルキー３２を操作して行う。例えば、キャンセルキー３２を一定時間（例えば、５秒）以上押し続けると、機能切換モードに入り、その状態で実行キー３１を押すと、順次機能が切り替わる。そして、現在どの機能が選択されているかは、トナーインジケータ３３〜３６を使って表示される。例えば、Ｋトナーインジケータ３３の点灯でコピー機能に切り替えられたことを示し、Ｃトナーインジケータ３４の点灯でプリンタ機能に切り替えられたことを示し、Ｍトナーインジケータ３５の点灯でファクシミリ機能に切り替えられたことを示し、Ｙトナーインジケータ３６の点灯でスキャナ機能に切り替えられたことを示す。
【００２７】
原稿読取装置インターフェース１７は、この画像形成装置１の上に置かれた原稿読取装置１８と接続し、この原稿読取装置１８を制御するためのインターフェースである。
【００２８】
原稿読取装置１８は、コンタクトガラス上に置かれた原稿にハロゲンランプで光を当てその反射光をＣＣＤセンサで読み取り、このアナログ信号をＡ／Ｄ変換器でデジタル信号に変換し画像処理部１９で画像処理をして後段のビットマップメモリ２０に展開していく。このビットマップメモリ２０は、原稿読取装置１８からの画像データの他ネットワークなどを介して接続されたパソコンから転送されてくるプリントコマンドを前記プリンタコントローラ７で解析し生成される中間言語情報、相手方ファクシミリから公衆回線、ネットワーク・コントロール・ユニット３０，モデム２９を介して送られてくる画像データを必要に応じてＣＯＤＥＣ２１で伸張しフルビットマップの画像データとして展開、保持する。このＣＯＤＥＣ２１は、プリントデータに含まれる画像データの符号化されたものを復号化するためにも用いられる。
【００２９】
ネットワーク・インターフェース２５は、当該画像形成装置１をネットワークに接続するインターフェースである。ここではパソコン２６〜２８や図示していないその他の接続機器と接続している。
【００３０】
モデム２９は、公衆回線から送信されてくるアナログ信号をデジタル信号に変換し、また逆にデジタル信号をアナログ信号に変換して公衆回線で送信するためのものである。ネットワーク・コントロール・ユニット３０は、公衆回線への接続、ファクシミリと電話の切り替え、回線へのオンフック信号の送出、リング検出などを行う。
【００３１】
パソコン２６〜２８は、この画像形成装置１のプリンタ機能を用いてプリントアウトすることができる。たとえばワープロで作成した文書を、画像形成装置１を用いてプリントアウトする場合には、ワープロに印刷メニューを選択しプリントジョブを実行できる。
【００３２】
次に、この画像形成装置において、カラー専用用紙，契約書や有価証券の台紙，コピー禁止用の台紙等の特殊な用紙を使って印刷する場合の処理を説明する。ユーザは、まず、操作パネルの実行キー３１、キャンセルキー３２の操作により、特殊な用紙がセットされている特定の給紙カセットを選択する。
【００３３】
そのようにして、特定の給紙カセットが選択されると、操作表示部１６は、全てのトナーインジケータ３３〜３６を点滅させて、その給紙カセットからの給紙を許可するのに必要な認証のため、キー操作入力を促す。その後、ユーザは、実行キー３１とキャンセルキー３２とを所定時間（例えば５秒）同時に押して、これからキー操作入力を行うことを知らせてから、実行キー３１とキャンセルキー３２を、例えば、実行キー３１、実行キー３１，キャンセルキー３２のように、所定の順番で押す。そして再び、実行キー３１とキャンセルキー３２とを所定時間だけ同時に押して、キー操作入力が終わったことを知らせる。
【００３４】
それを受けて、キー操作認証部５は、入力されたキー操作手順とキー操作記憶部６に格納されているキー操作手順とを照合し、両者が一致すれば認証されたものとして、その給紙カセットからの給紙を許可する。
【００３５】
このようにすれば、操作パネルに、テンキーや表示画面を持たず、印刷動作を指示する２，３個の入力キーと数個の表示ランプしかないような小型の画像形成装置においても、特殊で高価な用紙を使用する際にユーザの認証を行うことができ、誤って高価な用紙を使用してしまうような無駄が発生するのを防止できる。
【実施例２】
【００３６】
上記実施例１にかかる画像形成装置１は特殊用紙をセットする特定の給紙カセットを１段有する構成であったが、本発明は種類が異なる特殊用紙を複数の特定の給紙カセットに分けてセットし、普通の用紙をその他の給紙カセットにセットし、それら給紙カセットのうちの選択された１つから給紙して印刷する画像形成装置にも適用することができる。実施例２にかかる画像形成装置１は複数の特定の給紙カセットを有する点を除けば実施例１の画像形成装置１と基本的に同様の構成である。実施例２の画像形成装置１の場合も、特殊用紙をセットする特定の給紙カセットは、予め設定しておく。
【００３７】
そして、ユーザは、操作パネルの実行キー３１、キャンセルキー３２の操作により、特殊用紙を選択する。そのようにして、特殊用紙が選択されると、操作表示部１６は、全てのトナーインジケータ３３〜３６を点滅させて、その給紙カセットからの給紙を許可するのに必要な認証のため、キー操作入力を促す。その後、ユーザは、実行キー３１とキャンセルキー３２とを所定時間（例えば５秒）同時に押して、これからキー操作入力を行うことを知らせてから、実行キー３１とキャンセルキー３２を所定の順番で押す。そして再び、実行キー３１とキャンセルキー３２とを所定時間だけ同時に押して、キー操作入力が終わったことを知らせる。
【００３８】
それを受けて、キー操作認証部５は、入力されたキー操作手順とキー操作記憶部６に格納されているキー操作手順とを照合し、両者が一致すれば認証されたものとして、上記複数の特定の給紙カセットの選択を許可し、その後ユーザにより選択された給紙カセットからの給紙を行う。
【００３９】
このようにしても、操作パネルに、印刷動作を指示する２、３個の入力キーと数個の表示ランプしかないような小型の画像形成装置において、特殊で高価な用紙を誤って高価な使用してしまうことを防止できるようになる。
【図面の簡単な説明】
【００４０】
【図１】本発明の実施例１にかかる画像形成装置とその周辺機器の概略構成を示す図である。
【図２】図１に示す画像形成装置の操作パネルの一例を示す図である。
【符号の説明】
【００４１】
１・・・・画像形成装置
２・・・・ＣＰＵ
３・・・・ＲＯＭ
４・・・・ＲＡＭ
５・・・・キー操作認証部
６・・・・キー操作記憶部
７・・・・プリンタコントローラ
８・・・・給紙制御部
９〜１２・・・給紙カセット
１３・・・プリンタ部
１４・・・後処理装置インターフェース
１５・・・後処理装置
１６・・・操作表示部
１７・・・原稿読取装置インターフェース
１８・・・原稿読取装置
１９・・・画像処理部
２０・・・ビットマップメモリ
２１・・・ＣＯＤＥＣ
２２・・・画像メモリ
２３・・・受信情報記憶バッファ
２４・・・中間言語情報記憶バッファ
２５・・・ネットワーク・インターフェース
２９・・・モデム
３０・・・ネットワーク・コントロール・ユニット（ＮＣＵ）
【図１】
2007136798.tif 000003
【図２】
2007136798.tif 000004